(57)【特許請求の範囲】
【請求項１】
複数の芯線を有する多芯ケーブルの両端末に接続した１対のコネクタ素子における互いに対応する各接触子同士が、前記多芯ケーブルにおける芯線をもって適正に接続されているか否かを確認する装置であって、
一方のコネクタ素子に接続する検出器と、他方のコネクタ素子に接続するループバックコネクタとを備え、
前記ループバックコネクタは、他方のコネクタ素子における第１の接触子と、第２以後の接触子とを並列に接続し、かつそれぞれに互いに電気量の異なる電気素子を設けた複数のループバック回路を有しており、
前記検出器は、２個の端子間の電気量を検出しうる電気量検出手段と、前記２個の端子のうちの一方の端子を、前記他方のコネクタ素子における第１の接触子と対応する前記一方のコネクタ素子における第１の接触子と接続する接続手段と、前記２個の端子のうちの他方の端子を、前記一方のコネクタ素子における第２以後の接触子と選択的に接続する切替接続手段と、前記電気量検出手段により検出した電気量またはその電気量の電気素子が設けられているループバック回路を示す表示装置とを有し、
前記切替接続手段に接続され、この切替接続手段による接続状況を表示する表示手段を設けていることを特徴とする多芯ケーブルとコネクタとの接続確認装置。
【請求項２】
複数のループバック回路に設ける電気素子を、互いに抵抗値の異なる抵抗とし、電気量検出手段を、抵抗検出用のテスタとした請求項１記載の多芯ケーブルとコネクタとの接続確認装置。
【請求項３】
複数の芯線を有する多芯ケーブルの両端末に接続した１対のコネクタ素子における互いに対応する各接触子同士が、前記多芯ケーブルにおける芯線をもって適正に接続されているか否かを確認する装置であって、
一方のコネクタ素子に接続する検出器と、他方のコネクタ素子に接続するループバックコネクタとを備え、
前記ループバックコネクタは、他方のコネクタ素子における第１の接触子と、第２以後の接触子とを並列に接続し、かつそれぞれに互いに抵抗値の異なる抵抗を設けた複数のループバック回路を有しており、
前記検出器は、２個の端子間の抵抗値を検出しうる抵抗値検出手段と、前記２個の端子のうちの一方の端子を、前記他方のコネクタ素子における第１の接触子と対応する前記一方のコネクタ素子における第１の接触子と接続する接続手段と、前記２個の端子のうちの他方の端子を、前記一方のコネクタ素子における第２以後の接触子と選択的に接続する切替接続手段と、前記抵抗値検出手段により検出した抵抗値またはその抵抗値の抵抗が設けられているループバック回路を示す表示装置とを有し、
各ループバック回路に、各抵抗をバイパスするバイパススイッチを設け、このバイパススイッチを閉じた状態での前記抵抗値検出手段が検出する抵抗値により、そのループバック回路を含む閉回路全体の抵抗値を検出しうるようにしたことを特徴とする多芯ケーブルとコネクタとの接続確認装置。
【請求項４】
各ループバック回路に設ける抵抗を可変抵抗器とし、抵抗値を変更可能とした請求項２または３記載の多芯ケーブルとコネクタとの接続確認装置。
【請求項５】
各ループバック回路に設ける抵抗の抵抗値の上１桁、または上２桁を、一方のコネクタ素子における端子番号と同数となるように設定し、表示装置にデジタル表示される抵抗値の上１桁、または上２桁以外の表示を非表示とするか、または遮蔽することにより、表示装置に表示された抵抗値を、そのまま一方のコネクタ素子における端子番号を示すものとした請求項２〜４のいずれかに記載の多芯ケーブルとコネクタとの接続確認装置。
【発明の詳細な説明】
【技術分野】
【０００１】
本発明は、多芯ケーブルとコネクタとの接続確認装置に関する。
【背景技術】
【０００２】
携帯電話のアンテナ基地局におけるアンテナの高さは、基地局毎に異なっており、しかも、地上の制御装置と高所のアンテナ側の制御装置とを接続する信号ケーブルは、配管等の狭窄部分を挿通させなければならないこともあり、先端に予めコネクタを接続しておくことができない。
そのため、このような信号ケーブルの取り付け作業や交換作業においては、信号ケーブルを配線した後、適切な長さで切断した後、その各端部にコネクタを接続し、その後、各コネクタの端子と信号ケーブルにおける芯線とが適正に接続されたか否かの確認作業を行っている。
【０００３】
この確認作業は、地上側の作業者と、アンテナ側の高所作業者とが、無線装置等を使って連絡を取り合いながら、信号ケーブルの両端に取り付けられたコネクターの互いに対応する端子同士の間で、順番に１本ずつ導通試験を行うもので、信号ケーブルが多数の芯線を含む多芯ケーブルの場合、確認作業に長時間を要するだけでなく、高所作業者は、自身の安全の確保を図りつつ、厳しい環境の中で作業をしているのが現状である。
【０００４】
このような多芯ケーブルとコネクタとの接続確認装置としては、ツイストペアケーブルの結線を、ペアごとに確認すると同時に、そのペアの断線、他の線のペアとの短絡などを検出するようにしたもの(例えば特許文献１参照)、パルス電流群を出力する送信機と、その電流群の方向を判別する受信機とを用いて、解線せずに導通確認することができ、ネジ部の損傷防止、誤結線防止を図れ、さらに、解線結線作業をなくすことができるようにしたもの(例えば特許文献２参照)、ケーブルの一端にマスタ装置、同じく他端にスレーブ装置を設置し、マスタ装置には、ケーブル内の心線と接地を用いて、スレーブ装置に、スレーブ装置側の各端子に割り当てられたＩＤを要求する装置を設け、スレーブ装置には、ケーブル内の心線と接地を用いて、マスタ装置の要求に応じて前記ＩＤを送信する装置を設け、送信されたＩＤをマスタ装置で読み取り、ケーブルの心線の接続関係を検出するようにしたもの(例えば特許文献３参照)等がある。
【０００５】
また、第１、第２コネクタに規定した対応関係で、ケーブルの両端部が接続される多芯ケーブルを検査する方法において、一の抵抗と他の各１の抵抗との各直列抵抗値が相違する複数の抵抗の一端側を短絡して第１コネクタに各他端を接続し、正規対応関係で接続されているケーブルを検出し、そのケーブルに接続されている第２コネクタのピンを印加ピンとして試験電圧を印加すると共に第２コネクタの印加ピン以外の他の各ピンを検出ピンとして検出用抵抗を介して所定電位に接続して各検出ピンの電圧を検出電圧として検出して記憶させ、各検出電圧と基準多芯ケーブルの各検出電圧に対応する各基準電圧とを比較して基準電圧に各検出電圧が一致するか判別し、一致しているときに正規接続状態と判別するようにしたものもある(例えば特許文献４参照)。
【先行技術文献】
【特許文献】
【０００６】
【特許文献１】特開２０００−３１０６５９号公報
【特許文献２】特開２００２−２５７８９０号公報
【特許文献３】特開２０１０−２８８４０６号公報
【特許文献４】特許第４６７６０７８号公報
【発明の概要】
【発明が解決しようとする課題】
【０００７】
特許文献１に記載されているものにおいては、ツイストペアケーブルの結線を、ペアごとに確認するようにしているので、ペアごと誤結線した場合には、結線が誤っているのに正常と判定するおそれがあり、特許文献２に記載されているものにおいては、パルス電流群を出力する送信機と、その電流群の方向を判別する受信機とを必要とするとともに、送信機をケーブルに１本ずつ結線しなければならず、その結線作業が繁雑であり、特許文献３に記載されているものにおいては、スレーブ装置側の各端子に割り当てられたＩＤを要求したり、送信したりする情報処理装置が必要であり、装置が複雑化する等の問題がある。
【０００８】
また、特許文献１に記載されているものにおいては、電圧生成部や電圧検出部の他に、演算制御部やメモリ、表示部等を必要とし、構造が複雑になるとともに、計測値と基準テーブルとの比較作業をしなければならず、検出作業が繁雑である等の問題がある。
【０００９】
本発明は、従来の技術が有する上記のような問題点に鑑みてなされたもので、多芯ケーブルの両端に取り付けられたコネクタと多芯ケーブル内の芯線とが適正に接続されているか否かを、簡単かつ迅速に確認することができるとともに、誤結線や断線等をも検出することができ、さらに、接続部等の接触抵抗をも検出しうるようにした多芯ケーブルとコネクタとの接続確認装置を提供することを目的としている。
【課題を解決するための手段】
【００１０】
本発明によると、上記課題は、次のようにして解決される。
（１）複数の芯線を有する多芯ケーブルの両端末に接続した１対のコネクタ素子における互いに対応する各接触子同士が、前記多芯ケーブルにおける芯線をもって適正に接続されているか否かを確認する装置であって、一方のコネクタ素子に接続する検出器と、他方のコネクタ素子に接続するループバックコネクタとを備え、前記ループバックコネクタは、他方のコネクタ素子における第１の接触子と、第２以後の接触子とを並列に接続し、かつそれぞれに互いに電気量の異なる電気素子を設けた複数のループバック回路を有しており、前記検出器は、２個の端子間の電気量を検出しうる電気量検出手段と、前記２個の端子のうちの一方の端子を、前記他方のコネクタ素子における第１の接触子と対応する前記一方のコネクタ素子における第１の接触子と接続する接続手段と、前記２個の端子のうちの他方の端子を、前記一方のコネクタ素子における第２以後の接触子と選択的に接続する切替接続手段と、前記電気量検出手段により検出した電気量またはその電気量の電気素子が設けられているループバック回路を示す表示装置とを有し、前記切替接続手段に接続され、この切替接続手段による接続状況を表示する表示手段を設ける。
【００１１】
このような構成によると、多芯ケーブルの両端末に接続した１対のコネクタ素子のうちの一方のコネクタ素子に検出器を接続し、同じく他方のコネクタ素子にループバックコネクタを接続した後、切替接続手段を切り替え、そのときの切替接続手段により切り替えた先と、表示装置の表示とが一致するか否かを確認するだけで、多芯ケーブルの両端に取り付けられたコネクタ素子と多芯ケーブル内の芯線とが適正に接続されているか否かを、簡単かつ迅速に確認することができる。
また、切替接続手段により切り替えた先と、表示装置の表示とが一致せず、表示装置の表示が別の切り替え先を表示した場合には、誤結線が生じていると判断することができ、表示装置が０を表示した場合には、断線が生じていると判断することができる。さらに、表示装置が、予め定めた表示以外の表示を行った場合には、短絡の可能性があることを示唆することを示唆しているものと判断することができる。
また、切替接続手段による切り替え状態をより明確に知らせることができる。
【００１２】
（２）上記(１)項において、複数のループバック回路に設ける電気素子を、互いに抵抗値の異なる抵抗とし、電気量検出手段を、抵抗検出用のテスタとする。
【００１３】
このような構成によると、安価な電気部品を用いて、簡単な構造の装置を提供することができる。
【００１４】
（３）複数の芯線を有する多芯ケーブルの両端末に接続した１対のコネクタ素子における互いに対応する各接触子同士が、前記多芯ケーブルにおける芯線をもって適正に接続されているか否かを確認する装置であって、一方のコネクタ素子に接続する検出器と、他方のコネクタ素子に接続するループバックコネクタとを備え、前記ループバックコネクタは、他方のコネクタ素子における第１の接触子と、第２以後の接触子とを並列に接続し、かつそれぞれに互いに抵抗値の異なる抵抗を設けた複数のループバック回路を有しており、前記検出器は、２個の端子間の抵抗値を検出しうる抵抗値検出手段と、前記２個の端子のうちの一方の端子を、前記他方のコネクタ素子における第１の接触子と対応する前記一方のコネクタ素子における第１の接触子と接続する接続手段と、前記２個の端子のうちの他方の端子を、前記一方のコネクタ素子における第２以後の接触子と選択的に接続する切替接続手段と、前記抵抗値検出手段により検出した抵抗値またはその抵抗値の抵抗が設けられているループバック回路を示す表示装置とを有し、各ループバック回路に、各抵抗をバイパスするバイパススイッチを設け、このバイパススイッチを閉じた状態での前記抵抗値検出手段が検出する抵抗値により、そのループバック回路を含む閉回路全体の抵抗値を検出しうるようにする。
【００１５】
このような構成によると、多芯ケーブルの両端末に接続した１対のコネクタ素子のうちの一方のコネクタ素子に検出器を接続し、同じく他方のコネクタ素子にループバックコネクタを接続した後、切替接続手段を切り替え、そのときの切替接続手段により切り替えた先と、表示装置の表示とが一致するか否かを確認するだけで、多芯ケーブルの両端に取り付けられたコネクタ素子と多芯ケーブル内の芯線とが適正に接続されているか否かを、簡単かつ迅速に確認することができる。
また、切替接続手段により切り替えた先と、表示装置の表示とが一致せず、表示装置の表示が別の切り替え先を表示した場合には、誤結線が生じていると判断することができ、表示装置が０を表示した場合には、断線が生じていると判断することができる。さらに、表示装置が、予め定めた表示以外の表示を行った場合には、短絡の可能性があることを示唆することを示唆しているものと判断することができる。
また、安価な電気部品を用いて、簡単な構造の装置を提供することができる。
また、バイパススイッチを閉じると、そのループバック回路に設け抵抗が実質的に０となり、そのループバック回路に導通している多芯ケーブル内の２本の芯線とその両端に接続されたコネクタ素子の端子を含む閉ループの抵抗値を知ることができ、それによって、その閉ループにおける断線や、接続部分において接触抵抗が生じていること等を知ることができる。
【００１６】
（４）上記(２)または(３)項において、各ループバック回路に設ける抵抗を可変抵抗器とし、抵抗値を変更可能とする。
【００１７】
このような構成によると、各ループバック回路に設ける抵抗を変更することによって、検出精度を調整したり、芯線の数が異なる多芯ケーブルとコネクタとの接続確認に適応したりすることができる。
【００１８】
（５）上記(２)〜(４)項のいずれかにおいて、各ループバック回路に設ける抵抗の抵抗値の上１桁、または上２桁を、一方のコネクタ素子における端子番号と同数となるように設定し、表示装置にデジタル表示される抵抗値の上１桁、または上２桁以外の表示を非表示とするか、または遮蔽することにより、表示装置に表示された抵抗値を、そのまま一方のコネクタ素子における端子番号を示すものとする。
【００１９】
このような構成によると、表示装置に表示される抵抗値のデジタル表示を、そのまま一方のコネクタ素子における端子番号を示すものとすることができ、高価な電子制御部品を使用しないで、それと同様の表示を実現することができる。
【発明の効果】
【００２２】
本発明によると、多芯ケーブルの両端に取り付けられたコネクタと多芯ケーブル内の芯線とが適正に接続されているか否かを、簡単かつ迅速に確認することができるとともに、誤結線や断線等をも検出することができ、さらに、接続部等の接触抵抗をも検出しうるようにした多芯ケーブルとコネクタとの接続確認装置を提供することができる。
【図面の簡単な説明】
【００２３】
【図１】本発明の多芯ケーブルとコネクタとの接続確認装置の第１の実施形態と、それによって接続確認を行おうとする多芯ケーブルとその両端に取り付けられたコネクタ素子とを模式的に示す図である。
【図２】本発明の装置の第１の実施形態における多芯ケーブルの一端に取り付けられた一方のコネクタ素子と、それに接続される検出器との回路図である。
【図３】本発明の装置の第１の実施形態における多芯ケーブルの他端に取り付けられた他方のコネクタ素子と、それに接続されるループバックコネクタとの回路図である。
【図４】本発明の多芯ケーブルとコネクタとの接続確認装置の第２の実施形態と、それによって接続確認を行おうとする多芯ケーブルとその両端に取り付けられたコネクタ素子との回路図である。
【発明を実施するための形態】
【００２４】
以下、本発明の装置の第１の実施形態を、図１〜図３を参照して説明する。
図１〜図３に示すように、この多芯ケーブルとコネクタとの接続確認装置(以下、接続確認装置という)１は、複数の芯線2-1、2-2、2-3・・・2-n、2-e(2-eはアース線である)を有する多芯ケーブル２の両端末に接続した１対のコネクタ素子３、４における互いに対応する各接触子3-1、3-2、3-3・・・3-n、3-e、4-1、4-2、4-3・・・4-n、4-e同士が、多芯ケーブル２における芯線2-1、2-2、2-3・・・2-n、2-eをもって適正に接続されているか否かを確認する装置であって、一方のコネクタ素子３に接続する検出器５と、他方のコネクタ素子４に接続するループバックコネクタ６とを備えている。
【００２５】
第１の実施形態においては、多芯ケーブル２における芯線2-1、2-2、2-3・・・2-n、2-eの数は、アース線(2-e)を含めて１７本としてある。
コネクタ素子３および４は、それぞれ、アース線用の接触子3-e、4-eを含めて、チューリップ形の受け部材とした１７本の接触子3-1、3-2、3-3・・・3-n、3-e、4-1、4-2、4-3・・・4-n、4-eを備える丸型１６芯ソケットコネクタ(雌型)としてある。この実施形態においては、アース線用の接触子3-e、4-eを、コネクタ素子３および４における「第１の接触子」としてある。
【００２６】
ループバックコネクタ６は、本体７と、この本体７に多芯ケーブル８を介して接続され、かつ雌型のコネクタ素子４に接続可能とした雄型のコネクタ素子９とを備えている。
【００２７】
多芯ケーブル８は、多芯ケーブル２におけるのと同様に、アース線(8-e)を含めて１７本の芯線8-1、8-2、8-3・・・8-n、8-eを有している。
雄型、すなわち丸型１６芯プラグコネクタとしたコネクタ素子９は、各芯線8-1、8-2、8-3・・・8-n、8-eに接続され、かつ雌型のコネクタ素子４に適正に接続した際に、その各接触子4-1、4-2、4-3・・・4-n、4-eに接触するようにした１７本のピン9-1、9-2、9-3・・・9-n、9-eを有している。
【００２８】
本体７には、多芯ケーブル８におけるアース線である芯線8-eをコモン線として、これとその他の芯線8-1、8-2、8-3・・・8-nとを並列に接続してなる１６個のループバック回路10-1、10-2、10-3・・・10-nが設けられている。
【００２９】
各ループバック回路10-1、10-2、10-3・・・10-nには、互いに電気量の異なる電気素子として、可変抵抗器VR1、VR2、VR3・・・VRnと、常開のバイパススイッチS1、S2、S3・・・Snとが、互いに並列に接続されている。
アース線である芯線8-eには、可変抵抗器は設けられていないが、常閉のスイッチSeが設けられている。
【００３０】
各可変抵抗器VR2、VR3・・・VRnの抵抗値をどの様に設定しておくかは、使用の仕方によって自由に設定することができるが、ここでは、可変抵抗器の番号に合わせて、VR1=(10＋α)Ω、VR2=(20＋α)Ω、VR3=(30＋α)Ω・・・VRn=(10×n＋α)Ωとしてある。
可変抵抗器VR1、VR2、VR3、・・・VRnに代えて、上記のような抵抗値とした固定抵抗(図示略)を使用することもある。
【００３１】
検出器５は、本体１１と、この本体１１に多芯ケーブル１２を介して接続され、かつ雌型のコネクタ素子３に接続可能とした雄型のコネクタ素子１３とを備えている。
【００３２】
多芯ケーブル１２は、多芯ケーブル２におけるのと同様に、アース線(12-e)を含めて１７本の芯線12-1、12-2、12-3・・・12-n、12-eを有しており、雄型のコネクタ素子１３は、各芯線12-1、12-2、12-3・・・12-n、12-eに接続され、かつ雌型のコネクタ素子３に適正に接続した際に、その各接触子3-1、3-2、3-3・・・3-n、3-eに接触するようにした１７本のピン13-1、13-2、13-3・・・13-n、13-eを有している。
【００３３】
本体１１には、２個の端子１４ａ、１４ｂ間の電気量を検出しうる電気量検出手段１４と、２個の端子１４ａ、１４ｂのうちの一方の端子１４ａを、多芯ケーブル１２におけるアース線である芯線12-eと接続する接続手段である接続線１５と、２個の端子１４ａ、１４ｂのうちの他方の端子１４ｂを、多芯ケーブル１２における芯線12-e以外の芯線12-1、12-2、12-3、・・・12-nと選択的に接続する切替接続手段１６と、電気量検出手段１４により検出した電気量および／またはその電気量の電気素子、すなわち可変抵抗器VR1、VR2、VR3、・・・VRnが設けられているループバック回路10-1、10-2、10-3・・・10-nを示す表示装置１７とが設けられている。
【００３４】
電気量検出手段１４は、この実施形態においては、抵抗検出用のテスタとしてあり、そのテスタのデジタル表示部１４ｃを、表示装置１７としてある。
このテスタのデジタル表示部１４ｃは、上２桁のみを表示するものであればそのまま、上３桁以上を表示するものは、上２桁のみを表示し、上２桁以外の表示部を非表示とするか、または遮蔽して表示装置１７とするのが好ましい。
この実施形態においては、テスタのデジタル表示部１４ｃを、上４桁を表示しうるものとし、表示装置１７は、そのうちの上２桁のみを常時表示し、下２桁は、常時は開閉蓋１７ａによって遮蔽し、後述する各ループバック回路10-1、10-2、10-3・・・10-nを含む閉ループの抵抗値を検出するときや、その他の、抵抗値を詳細に知りたいときのみに、開閉蓋１７ａを開いて、４桁表示しうるようにしてある。
【００３５】
また、テスタのデジタル表示部１４ｃの上１桁目は１００Ωの桁を、上２桁目は１０Ωの桁を、上３桁目は１Ωの桁を、上４桁目は０．１Ωの桁を、それぞれ示すように設定し、１００Ωに満たない場合の上１桁目は、空白または０表示とするように設定してある。
【００３６】
表示装置１７をこのような構成とすると、表示装置１７に表示された抵抗値を、そのまま、その可変抵抗器VR1、VR2、VR3・・・VRnが設けられているループバック回路10-1、10-2、10-3・・・10-n、ひいては、正常な結線状態の場合は、コネクタ素子３における接触子3-1、3-2、3-3・・・3-nの端子番号を示すものとして使用することができる。
【００３７】
なお、多芯ケーブル２の芯線の数が１桁の場合には、表示装置１７は、検出した抵抗値の上１桁のみを表示するものとすることもできる。
【００３８】
切替接続手段１６は、この実施形態においては、１個の可動接点を６個の固定接点に選択的に接続可能とした３個のロータリスイッチ１８、１９、２０からなっている。
ロータリスイッチ１８における可動接点１８ａは、電気量検出手段１４の端子１４ｂに接続され、同じく固定接点１８ｂは多芯ケーブル１２における芯線12-1に、同じく固定接点１８ｃは芯線12-2に、同じく固定接点１８ｄは芯線12-3に、同じく固定接点１８ｅは芯線12-4に、同じく固定接点１８ｆは芯線12-5に、同じく固定接点１８gはロータリスイッチ１９における可動接点１９ａにそれぞれ接続されている。
【００３９】
ロータリスイッチ１９における固定接点１９ｂは多芯ケーブル１２における芯線12-6に、同じく固定接点１９ｃは芯線12-7に、同じく固定接点１９ｄは芯線12-8に、同じく固定接点１９ｅは芯線12-9に、同じく固定接点１９ｆは芯線12-10に、同じく固定接点１９gはロータリスイッチ２０における可動接点２０ａにそれぞれ接続されている。
【００４０】
ロータリスイッチ２０における固定接点２０ｂは多芯ケーブル１２における芯線12-11に、同じく固定接点２０ｃは芯線12-12に、同じく固定接点２０ｄは芯線12-13に、同じく固定接点２０ｅは芯線12-14に、同じく固定接点２０ｆは芯線12-15に、同じく固定接点２０gは芯線12-16にそれぞれ接続されている。
【００４１】
図１に示すように、検出器５の上面である操作パネル５ａには、上記表示装置１７、およびロータリスイッチ１８、１９、２０の他に、電気量検出手段１４への電源線２１からの給電をＯＮ、ＯＦＦする電源スイッチ２２と、切替接続手段１６に接続され、この切替接続手段１６による接続状況を表示する表示手段２３とが設けられている。
【００４２】
表示手段２３は、この実施形態においては、多芯ケーブル１２における芯線12-1〜12-16に対応するように設けた１６個の赤色発光ダイオード２４と、ロータリスイッチ１８における可動接点１８ａが固定接点１８ｇに接続されていることを示す青色発光ダイオード２５と、ロータリスイッチ１９における可動接点１９ａが固定接点１９ｇに接続されていることを示す青色発光ダイオード２６とを備えている。
【００４３】
１６個の赤色発光ダイオード２４と２個の青色発光ダイオード２５、２６は、図２に示すロータリスイッチ１８、１９、２０の固定接点１８ｂ〜１８ｇ、１９ｂ〜１９ｇ、２０ｂ〜２０ｇの配置に対応させて操作パネル５ａ上に設けてあり、各ロータリスイッチ１８、１９、２０の可動接点１８ａ、１９ａ、２０ａが接触している固定接点１８ｂ〜１８ｇ、１９ｂ〜１９ｇ、２０ｂ〜２０ｇに対応するものが点灯するようになっている。
この表示手段２３における赤色発光ダイオード２４、および青色発光ダイオード２５、２６の制御回路に関しては、この発明の技術の分野における通常の知識を有するものであれば容易に設計できると思われるので、図示および詳細な説明は省略してある。
【００４４】
アース線である多芯ケーブル１２における芯線12-e、およびこれに接続された接続線１５に通電されていることを示す発光ダイオードは設けていないが、このような発光ダイオードを設けてもよい。
【００４５】
次に、この接続確認装置１を用いて、携帯電話のアンテナ基地局における信号ケーブルの取り付け作業、およびその後の接続確認作業の実施要領について説明する。
【００４６】
アンテナ基地局において、信号ケーブルとしての多芯ケーブル２を鉄塔(図示略)に沿って配設した後、適当な長さで切断し、その両端にコネクタ素子３、４を取り付ける。
【００４７】
ここまでは従来と同一であるが、本発明によると、高所作業としては、多芯ケーブル２の上端に取り付けた雌型のコネクタ素子４に、ループバックコネクタ６における雄型のコネクタ素子９を接続するだけでよい。
【００４８】
アンテナ基地局の地上側においては、多芯ケーブル２の下端に取り付けた雌型のコネクタ素子３に、検出器５における雄型のコネクタ素子１３を接続した後、電源線２１を電源(図示略)に接続し、かつ電源スイッチ２２をＯＮにする。
【００４９】
ついで、ロータリスイッチ１８の可動接点１８ａを、固定接点１８ｂに接続する。
すると、多芯ケーブル２とコネクタ素子３、４とが正常に接続されている場合には、電気量検出手段１４の端子１４ｂ−ロータリスイッチ１８の可動接点１８ａ−同じく固定接点１８ｂ−多芯ケーブル１２の芯線12-1−コネクタ素子１３のピン13-1−コネクタ素子３の接触子3-1−多芯ケーブル２の芯線2-1−コネクタ素子４の接触子4-1−コネクタ素子９のピン9-1−多芯ケーブル８の芯線8-1−可変抵抗器VR1を含むループバック回路10-1−多芯ケーブル８の芯線8-e−コネクタ素子９のピン9-e−コネクタ素子４の接触子4-e−多芯ケーブル２の芯線2-e−コネクタ素子３の接触子3-e−コネクタ素子１３のピン13-e−多芯ケーブル１２の芯線12-e−接続線１５−電気量検出手段１４の端子１４ａの閉ループの回路が形成され、そのときのループバック回路10-1における可変抵抗器VR1に設定された抵抗値VR1=(10＋α)Ωが、電気量検出手段１４を構成するテスタのデジタル表示部１４ｃに、４桁の数値として、例えば「０１２３」として表示される。
【００５０】
そのうち、下２桁は、開閉蓋１７ａによって隠されるため、表示装置１７には、「０１」(または「  １」)のみが表示される。
この表示装置１７に表示された数値が、切替接続手段１６の接続状況を表示する表示手段２３の表示、すなわち、第何番目の赤色発光ダイオード２４が点灯しているか、と一致していることを確認することによって、上記の閉ループの回路が適正に形成されていること、ひいては、多芯ケーブル１２の芯線12-1の両端に、コネクタ素子３の接触子3-1とコネクタ素子４の接触子4-1とが適正に接続されていることを確認することができる。
【００５１】
万一、コネクタ素子３の接触子3-1に接続された多芯ケーブル１２の芯線12-1が、コネクタ素子４の接触子4-1以外の接触子4-2〜4-nのいずれかに誤って接続されていた場合には、表示装置１７に、その誤って接続された接触子の番号が表示される。
例えば、上記の場合で、多芯ケーブル１２の芯線12-1が、誤ってコネクタ素子４の接触子4-3に接続されていると、ループバック回路10-1に代わって、ループバック回路10-3が閉成され、その抵抗値VR3=(30＋α)Ωの上２桁の「０３」が表示装置１７に表示されるので、多芯ケーブル１２の芯線12-1が、誤ってコネクタ素子４の接触子4-3に接続されていることを簡単に知ることができる。
【００５２】
また、コネクタ素子３の接触子3-1と多芯ケーブル１２の芯線12-1、もしくは多芯ケーブル１２の芯線12-1とコネクタ素子４の接触子4-1とが接続されていなかったり、または芯線12-1が断線している場合は、表示装置１７の表示が非表示、または「００」等となるので、それによっても接続不良や断線を簡単に知ることができる。
【００５３】
さらに、表示装置１７の表示が、切替接続手段１６の接続状況を表示する表示手段２３の表示より小さな値を示した場合は、その小さな値が示すループバック回路と短絡していることを知ることができる。
【００５４】
ロータリスイッチ１８の可動接点１８ａを、固定接点１８ｃ〜１８ｆに順次切り替え、そのときの第何番目の赤色発光ダイオード２４が点灯しているかと、表示装置１７の表示とを対比することによって、多芯ケーブル１２の芯線12-2〜12-5の両端に、コネクタ素子３の接触子3-2〜3-5とコネクタ素子４の接触子4-2〜4-5とが適正に接続されているか否かを簡単に確認することができる。
【００５５】
ロータリスイッチ１８の可動接点１８ａを固定接点１８ｇに接続した後、ロータリスイッチ１９の可動接点１９ａを固定接点１９ｂ〜１９ｆに切り替え、そのときの第何番目の赤色発光ダイオード２４が点灯しているかと、表示装置１７の表示とを対比することによって、多芯ケーブル１２の芯線12-6〜12-10の両端に、コネクタ素子３の接触子3-6〜3-10とコネクタ素子４の接触子4-6〜4-10とが適正に接続されているか否かを簡単に確認することができる。
【００５６】
さらに、ロータリスイッチ１８の可動接点１８ａを固定接点１８ｇに接続し、かつロータリスイッチ１９の可動接点１９ａを固定接点１９ｇに接続した後、ロータリスイッチ２０の可動接点２０ａを固定接点２０ｂ〜２０ｇに切り替え、そのときの第何番目の赤色発光ダイオード２４が点灯しているかと、表示装置１７の表示とを対比することによって、多芯ケーブル１２の芯線12-11〜12-16の両端に、コネクタ素子３の接触子3-11〜3-16とコネクタ素子４の接触子4-11〜4-16とが適正に接続されているか否かを簡単に確認することができる。
【００５７】
これらのロータリスイッチ１８〜２０の切替作業と、その時々の表示装置１７の表示の確認作業は、異常がない限り、きわめて短時間で行うことができ、しかも、その作業中、高所作業側では、ループバックコネクタ６における雄型のコネクタ素子９を接続した後、何らかの作業を行う必要はない。
【００５８】
万一、上記の確認作業によって異常が判明した場合には、そのときの表示装置１７の表示に基づいて、誤結線を修復したり、異常個所を修理したりする。
【００５９】
上記の確認作業の終了後、必要に応じて、接続部分の接触抵抗を調べたい場合には、上記の確認作業と同様にして、ロータリスイッチ１８の可動接点１８ａを、固定接点１８ｂに接続し、そのときの表示装置１７の表示が、「０１」(または「  １」)となっていることを確認した後、高所作業者がループバックコネクタ６におけるバイパススイッチS1を閉じ、地上側の作業者が、表示装置１７の開閉蓋１７ａを開いて、そのときの電気量検出手段１４のデジタル表示部１４ｃのすべての桁の数値を読み取る。
【００６０】
このとき、デジタル表示部１４ｃに表示された抵抗値は、上述した閉ループの回路における可変抵抗器VR1の抵抗を除いた抵抗を示しているので、この抵抗値が高い場合は、その閉ループのどこかに、接触不良その他の異常があることを知ることができる。
【００６１】
切替接続手段１６による接続状況を順次切り替えて、上記と同様の作業を行うことにより、多芯ケーブル１２の各芯線12-2〜12-16に接続された回路における可変抵抗器VR2〜VR16の抵抗を除いた抵抗値を知ることができ、その抵抗値が高い場合は、その閉ループのどこかに、接触不良その他の異常があることを知ることができる。
【００６２】
多芯ケーブル１２におけるアース線である芯線12-eの誤結線や、断線等の異常に関しては、以上の作業行う途中で判明する。
例えば、芯線12-eが断線している場合は、上記の作業の最初から表示装置１７の表示が非表示または「００」となることにより判明し、芯線12-eが誤結線されている場合は、上記の作業の最初から表示装置１７の表示が「０１」(または「  １」)となることにより判明する。
【００６３】
短絡に関しては、上記のように、表示装置１７の表示が、切替接続手段１６の接続状況を表示する表示手段２３の表示より小さな値を示した場合に、その小さな値が示すループバック回路と短絡していることを知ることができるが、多芯ケーブル２におけるどの芯線とどの芯線とが短絡しているかをより正確に知るには、その小さな値を示したときの切替接続手段１６の接続状況に対応するループバックコネクタ６におけるバイパススイッチ(S1〜Snのいずれか)を閉じた後(このとき、表示装置１７の表示は非表示または「００」となる)、切替接続手段１６による接続状況を最初から順次切り替えて、表示装置１７の表示が非表示または「００」となる接続状況を確認すればよい。
すなわち、このときの表示装置１７の表示が非表示または「００」となった接続状況に対応する多芯ケーブル２における芯線2-1〜2-n同士が短絡していることが正確に確認できる。
【００６４】
以上から明らかなように、本発明の第１の実施形態によると、多芯ケーブル１２の両端に取り付けられたコネクタ３、４と多芯ケーブル１２内の芯線とが適正に接続されているか否かを、簡単かつ迅速に確認することができるとともに、誤結線や断線等をも検出することができ、さらに、接続部等の接触抵抗をも検出することができる。
【００６５】
また、各ループバック回路10-1〜10-nにおける可変抵抗器VR1〜VRnの抵抗値を変更することにより、検出精度を調整したり、芯線の数が異なる多芯ケーブルとコネクタとの接続確認に適応したりすることができる。
【００６６】
さらに、各ループバック回路10-1〜10-nにおける可変抵抗器VR1〜VRnの抵抗値と表示装置１７の表示との関係を上記のようにすることによって、表示装置１７に表示される抵抗値のデジタル表示を、そのまま一方のコネクタ素子３における端子番号を示すものとすることができ、高価な電子制御部品を使用しないで、それと同様の表示を実現することができる。
【００６７】
図４は、本発明の多芯ケーブルとコネクタとの接続確認装置の第２の実施形態と、それによって接続確認を行おうとする多芯ケーブルとその両端に取り付けられたコネクタ素子との回路図を示す。なお、第１の実施形態におけるのと同一または類似の部材には、同一の符号を付して図示するに止め、それらについての詳細な説明は省略する。
【００６８】
第２の実施形態においては、接続確認装置１は、アース線(2-e)を含めて９本の芯線2-1、2-2、2-3・・・2-8、2-eを有する多芯ケーブル２の両端末に接続した１対のコネクタ素子３、４における互いに対応する各接触子3-1、3-2、3-3・・・3-8、3-e、4-1、4-2、4-3・・・4-8、4-e同士が、多芯ケーブル２における芯線2-1、2-2、2-3・・・2-8、2-eをもって適正に接続されているか否かを確認する装置としてあり、一方のコネクタ素子３に接続する検出器５と、他方のコネクタ素子４に接続するループバックコネクタ６とを備えている。
【００６９】
ループバックコネクタ６は、本体７と、この本体７に多芯ケーブル８を介して接続され、かつ雌型のコネクタ素子４に接続可能とした雄型のコネクタ素子９とを備えており、多芯ケーブル８の芯線8-1、8-2、8-3・・・8-8、8-eの数、およびコネクタ素子９のピン9-1、9-2、9-3・・・9-8、9-eの数は、多芯ケーブル２の芯線の数に合わせて、それぞれ９個としてある。
【００７０】
ループバックコネクタ６の本体７における各ループバック回路10-1、10-2、10-3・・・10-8には、可変抵抗器VR1、VR2、VR3・・・VRnに代えて、固定抵抗R1、R2、R3・・・R8がそれぞれ設けられている。
各固定抵抗R1、R2、R3・・・R8の抵抗値は、第１の実施形態における可変抵抗器VR1、VR2、VR3・・・VR8において設定した抵抗値と同一か、またはそれに近似した値とするのが好ましい。
【００７１】
検出器５は、本体１１と、この本体１１に多芯ケーブル１２を介して接続され、かつ雌型のコネクタ素子３に接続可能とした雄型のコネクタ素子１３とを備えており、多芯ケーブル１２の芯線12-1、12-2、12-3・・・12-8、12-eの数、およびコネクタ素子１３のピン13-1、13-2、13-3・・・13-8、13-eの数は、多芯ケーブル２の芯線の数に合わせて、それぞれ９個としてある。
【００７２】
本体１１における切替接続手段１６は、１個の可動接点30aを８個の固定接点30b、30c、30d、30e、30f、30g、30h、30iに選択的に接続可能とした単一のロータリスイッチ３０からなるものとしてある。
【００７３】
ロータリスイッチ３０における可動接点30aは、電気量検出手段１４の端子１４ｂに接続され、他の固定接点30b、30c、30d、30e、30f、30g、30h、30iは、多芯ケーブル１２の芯線12-1、12-2、12-3・・・12-8にそれぞれ接続されている。
多芯ケーブル１２におけるアース線である芯線12-eは、電気量検出手段１４の端子１４ａに接続されている。
その他の構成は第１の実施形態におけるものと同一である。なお、表示手段２３に相当するものは省略してある。
【００７４】
このように単純化した第２の実施形態においても、第１の実施形態におけるものと同様にして、結線状態の確認作業を行うことができる。
【００７５】
本発明は、上記実施形態のみに限定されるものではなく、特許請求の範囲を逸脱することなく、例えば、次のような変形した態様での実施が可能である。
(１)  抵抗R1、R2、R3・・・Rnに代えて、互いに電気量の異なる電気素子、例えば互いに電圧を異ならせた電池、または容量を異ならせたコンデンサ等を各ループバック回路10-1、10-2、10-3・・・10-nに設け、検出器５に設ける電気量検出手段１４を、それらの電気量、例えば電圧や容量を検出しうる測定器とする。
(２)  切替接続手段１６を、３個のロータリスイッチ１８、１９、２０に代えて、１個の可動接点と、それと選択的に接続可能な１６個の固定接点とを有する単一のロータリスイッチ、またはスライドスイッチとする。
(３)  互いに接続可能なコネクタ素子３と１３、またはコネクタ素子４と９の雄、雌関係を逆にする。
【産業上の利用可能性】
【００７６】
本発明の多芯ケーブルとコネクタとの接続確認装置は、上記のような携帯電話のアンテナ基地局における信号ケーブルの取り付け作業後の接続確認作業だけでなく、火力発電所、原子力発電所、またはこれらと同等の施設等において、電気または電子機器同士を接続するコネクタケーブルと電気または電子機器との接続関係を確認する作業等にも使用することができる。
【符号の説明】
【００７７】
VR1、VR2、VR3・・・VRn  可変抵抗器(電気素子)
R1、R2、R3・・・R8  固定抵抗(電気素子)
S1、S2、S3・・・Sn  バイパススイッチ
Se  スイッチ
１  多芯ケーブルとコネクタとの接続確認装置
２  多芯ケーブル
2-1、2-2、2-3・・・2-n、2-e  芯線
３  コネクタ素子
3-1、3-2、3-3・・・3-n、3-e  接触子
４  コネクタ素子
4-1、4-2、4-3・・・4-n、4-e  接触子
５  検出器
５ａ  操作パネル
６  ループバックコネクタ
７  本体
８  多芯ケーブル
8-1、8-2、8-3・・・8-n、8-e  芯線
９  コネクタ素子
9-1、9-2、9-3・・・9-n、9-e  ピン
10-1、10-2、10-3・・・10-n  ループバック回路
１１  本体
１２  多芯ケーブル
12-1、12-2、12-3・・・12-n、12-e  芯線
１３  コネクタ素子
13-1、13-2、13-3・・・13-n、13-e  ピン
１４  電気量検出手段
１４ａ、１４ｂ  端子
１４ｃデジタル表示部
１５  接続線(接続手段)
１６  切替接続手段
１７  表示装置
１７ａ開閉蓋
１８、１９、２０  ロータリスイッチ
１８ａ、１９ａ、２０ａ  可動接点
１８ｂ〜１８ｇ、１９ｂ〜１９ｇ、２０ｂ〜２０ｇ  固定接点
２１  電源線
２２  電源スイッチ
２３  表示手段
２４  赤色発光ダイオード
２５、２６  青色発光ダイオード
３０  ロータリスイッチ
30a   可動接点
30b、30c、30d、30e、30f、30g、30h、30i  固定接点
【図１】
0006475477.tif 000002
【図２】
0006475477.tif 000003
【図３】
0006475477.tif 000004
【図４】
0006475477.tif 000005